(57)【要約】デジタルビデオ放送（ＤＶＢ）受信機およびＤＶＢ周波数調整モジュールを含む、携帯型電子デバイスを提供する。ＤＶＢ受信機は、携帯型電子デバイスの基準クロックをＤＶＢ基準クロックとして使用するように構成される。ＤＶＢ周波数調整モジュールは、携帯型電子デバイスの基準クロックに関連する調整情報を受信して、調整情報に応じてＤＶＢ受信機の周波数設定を調整するように構成される。関連する方法およびコンピュータプログラム製品も提供する。
2009537082.tif 000002
【特許請求の範囲】
【請求項１】
携帯型電子装置であって、
前記携帯型電子装置の基準クロックをデジタルビデオ放送（ＤＶＢ）の基準クロックとして使用するＤＶＢ受信機と、
前記携帯型電子装置の基準クロックに関連付けられた調整情報を受信し、該調整情報にしたがって前記ＤＶＢ受信機における周波数設定を調整するＤＶＢ周波数調整モジュールと
を備えることを特徴とする携帯型電子装置。
【請求項２】
前記調整情報には、前記基準クロックの周波数変更の規模を示すソフトウエア信号を含んでいることを特徴とする請求項１に記載の携帯型電子装置。
【請求項３】
前記ＤＶＢ周波数調整モジュールは、前記基準クロックの周波数変更の規模に基づいて前記ＤＶＢ受信機における周波数設定を調整することを特徴とする請求項２に記載の携帯型電子装置。
【請求項４】
前記調整情報には、前記基準クロックの周波数変更を示すハードウエア信号が含まれていることを特徴とする請求項１ないし３のいずれか１項に記載の携帯型電子装置。
【請求項５】
前記ＤＶＢドップラー調整モジュールは、さらに、前記ハードウエア信号に基づいて前記基準クロックの周波数変更に関連したドップラーシフトを決定し、前記基準クロックの周波数変更の規模に基づいて前記ＤＶＢ受信機における周波数設定を調整することを特徴とする請求項４に記載の携帯型電子装置。
【請求項６】
前記調整情報は、前記基準クロックをネットワーククロックに同期させたことに応じて生成されることを特徴とする請求項１ないし５のいずれか１項に記載の携帯型電子装置。
【請求項７】
前記調整情報は、前記基準クロックが調整される前に受信されることを特徴とする請求項１ないし６のいずれか１項に記載の携帯型電子装置。
【請求項８】
前記調整情報は、前記基準クロックが調整された後で受信されることを特徴とする請求項１ないし７のいずれか１項に記載の携帯型電子装置。
【請求項９】
前記ＤＶＢ周波数調整モジュールは、前記携帯型電子装置内で前記ＤＶＢ受信機の周波数設定を調整することを特徴とする請求項１ないし８のいずれか１項に記載の携帯型電子装置。
【請求項１０】
デジタルビデオ放送（ＤＶＢ）受信機の周波数設定を調整する方法であって、
ＤＶＢ基準クロックとして使用される携帯型電子装置の基準クロックに関連付けられた調整情報を受信する受信ステップと、
前記調整情報にしたがって前記ＤＶＢ受信機における周波数設定を調整する調整ステップと
を備えることを特徴とする方法。
【請求項１１】
前記調整情報には、前記基準クロックの周波数変更の規模を示すソフトウエア信号または前記基準クロックの周波数変更を示すハードウエア信号が含まれていることを特徴とする請求項１０に記載の方法。
【請求項１２】
前記調整ステップは、
前記基準クロックの周波数変更の規模に基づいて前記ＤＶＢ受信機における周波数設定を調整するステップをさらに含む
ことを特徴とする請求項１１に記載の方法。
【請求項１３】
前記調整ステップは、さらに、
前記ハードウエア信号に基づいて前記基準クロックの周波数変更に関連したドップラーシフトを決定するステップと、
前記決定されたドップラーシフトに基づいて前記ＤＶＢ受信機における周波数設定を調整するステップと
を含むことを特徴とする請求項１１または１２に記載の方法。
【請求項１４】
前記受信ステップは、さらに、
前記基準クロックが調整される前または後に前記調整情報を受信するステップを含むことを特徴とする請求項１０ないし１３のいずれか１項に記載の方法。
【請求項１５】
前記調整ステップは、
前記携帯型電子装置内で前記ＤＶＢ受信機の周波数設定を調整するステップを含むことを特徴とする請求項１０ないし１４のいずれか１項に記載の方法。
【請求項１６】
コンピュータ可読記憶媒体に記憶されたコンピュータ可読プログラムコードを備え、デジタルビデオ放送（ＤＶＢ）受信機の周波数設定を調整するためのコンピュータプログラムであって、
ＤＶＢ基準クロックとして使用される携帯型電子装置の基準クロックに関連付けられた調整情報を受信するためのコンピュータ可読プログラムコードと、
前記調整情報にしたがって前記ＤＶＢ受信機における周波数設定を調整するためのコンピュータ可読プログラムコードと
を備えることを特徴とするコンピュータプログラム方法。
【請求項１７】
前記調整情報には、前記基準クロックの周波数変更の規模を示すソフトウエア信号または前記基準クロックの周波数変更を示すハードウエア信号が含まれていることを特徴とする請求項１６に記載のコンピュータプログラム。
【請求項１８】
前記調整情報にしたがって前記ＤＶＢ受信機における周波数設定を調整するための前記コンピュータ可読プログラムコードは、
前記基準クロックの周波数変更の規模に基づいて前記ＤＶＢ受信機における周波数設定を調整するためのコンピュータ可読プログラムコードを含むことを特徴とする請求項１７に記載のコンピュータプログラム。
【請求項１９】
前記調整情報にしたがって前記ＤＶＢ受信機における周波数設定を調整するための前記コンピュータ可読プログラムコードは、
前記ハードウエア信号に基づいて前記基準クロックの周波数変更に関連したドップラーシフトを決定し、前記決定されたドップラーシフトに基づいて前記ＤＶＢ受信機における周波数設定を調整するためのコンピュータ可読プログラムコードを含むことを特徴とする請求項１７または１８に記載のコンピュータプログラム。
【請求項２０】
前記ＤＶＢ基準クロックとして使用される携帯型電子装置の基準クロックに関連付けられた調整情報を受信するための前記コンピュータ可読プログラムコードは、
前記基準クロックが調整される前または後に前記調整情報を受信するためのコンピュータ可読プログラムコードを含むことを特徴とする請求項１６ないし１９のいずれか１項に記載のコンピュータプログラム。
【請求項２１】
前記調整情報にしたがって前記ＤＶＢ受信機における周波数設定を調整するための前記コンピュータ可読プログラムコードは、
前記携帯型電子装置内で前記ＤＶＢ受信機の周波数設定を調整するためのコンピュータ可読プログラムコードを含むことを特徴とする請求項１６ないし２０のいずれか１項に記載のコンピュータプログラム。
【発明の詳細な説明】
【技術分野】
【０００１】
本発明は、携帯型電子デバイスに関し、詳細には、移動テレビ放送受信用として使用可能な携帯型電子デバイス、それに関連する方法およびコンピュータプログラムに関する。
【背景技術】
【０００２】
最近、携帯型通信の分野では多機能化が進んでいる。携帯型電子デバイス、例えばコードレス電話や携帯電話、ポケベル、無線モデム、無線電子メールデバイス、通信機能付き携帯情報端末（ＰＤＡ）、ＭＰ３プレーヤ、およびその他の携帯型通信デバイスは、当たり前として受け入れられてきている。これらの携帯型通信デバイスの一部は、テレビ番組を視聴する機能を備えている。
【発明の開示】
【発明が解決しようとする課題】
【０００３】
テレビジョンサービスを提供するため、携帯型電子デバイスは、デジタルビデオ放送ハンドヘルズ（ＤＶＢ−Ｈ）標準を使用することがあるが、これは基本的にＤＶＢ−地上波（ＤＶＢ−Ｔ）標準の延長版である。特にＤＶＢ−Ｈは、受信側デバイス、例えば携帯型電子デバイスでの消費電力がＤＶＢ−Ｔよりも少ない地上デジタルＴＶ標準であり、従って、受信側デバイスは、送信を受信しながら自由に移動できる。従って、ＤＶＢ−Ｈは、ＤＶＢ−Ｔよりも携帯型電子デバイスに適しており、それによって携帯型電子デバイスは、移動ネットワークを使用せずに、デジタルＴＶ放送を、例えばｄｉｇｉＴＶネットワーク上で、受信することができる。
【課題を解決するための手段】
【０００４】
本発明の一部の実施形態は、デジタルビデオ放送（ＤＶＢ）受信機およびＤＶＢ周波数調整モジュールを含む携帯型電子デバイスを提供する。ＤＶＢ受信機は、携帯型電子デバイスの基準クロックをＤＶＢ基準クロックとして使用するように構成される。ＤＶＢ周波数調整モジュールは、携帯型電子デバイスの基準クロックに関連する調整情報を受信して、調整情報に応じてＤＶＢ受信機の周波数設定を調整するように構成される。
【０００５】
本発明の別の実施形態では、調整情報は、基準クロックの周波数変化の規模を示すソフトウエア信号かまたは基準クロックの周波数変化を示すハードウエア信号であってもよい。ＤＶＢ周波数調整モジュールは、基準クロックの周波数変化の規模に基づいてＤＶＢ受信機の周波数設定を調整するようにさらに構成されてもよい。本発明の一部の実施形態では、ＤＶＢ周波数調整モジュールは、基準クロックの周波数変化に関連するドップラー偏移をハードウエア信号に応じて決定し、基準クロックの周波数変化の規模に基づいてＤＶＢ受信機の周波数設定を調整するように、さらに構成されてもよい。
【０００６】
本発明の別の実施形態では、調整情報は、基準クロックがネットワーククロックと同期するのに応じて生成されてもよい。受信される調整情報は、基準クロックが調整される前かまたは後で受信されてもよい。本発明の一部の実施形態において、ＤＶＢ周波数調整モジュールは、携帯型電子デバイスの中でＤＶＢ受信機の周波数設定を調整するように、さらに構成されてもよい。
【０００７】
本発明の一部の実施形態は、デジタルビデオ放送受信機の周波数設定を調整する方法を提供する。携帯型電子デバイスの基準クロックに関連する調整情報が、受信される。携帯型電子デバイスの基準クロックが、ＤＶＢ基準クロックとして使用される。ＤＶＢ受信機の周波数設定が、調整情報に応じて調整される。
【０００８】
本発明の別の実施形態では、調整情報は、基準クロックの周波数変化の規模を示すソフトウエア信号かまたは基準クロックの周波数変化を示すハードウエア信号を含んでもよい。ＤＶＢ受信機の周波数設定が、基準クロックの周波数変化の規模に基づいて調整されてもよい。本発明の一部の実施形態では、基準クロックの周波数変化に関連するドップラー偏移が、ハードウエア信号に応じて決定され、そして、ＤＶＢ受信機の周波数設定が、特定されたドップラー偏移に基づいて調整されてもよい。
【０００９】
本発明の別の実施形態では、調整情報は、基準クロックが調整される前かまたは後で受信されてもよい。ＤＶＢ受信機の周波数設定は、携帯型電子デバイスの中で調整されてもよい。
【００１０】
本発明の一部の実施形態は、デジタルビデオ放送受信機の周波数設定を調整するためのコンピュータプログラムを提供する。コンピュータ可読プログラムコードが中に組み込まれたコンピュータ可読記憶媒体が提供される。コンピュータ可読プログラム媒体は、携帯型電子デバイスの基準クロックに関連する調製情報を受信するように構成された、コンピュータ可読プログラムコードを含む。携帯型電子デバイスの基準クロックは、ＤＶＢ基準クロックとして使用される。また、調整情報に応じてＤＶＢ受信機の周波数設定を調整するように構成されたコンピュータ可読プログラムコードも、提供される。
【００１１】
本発明の別の実施形態では、調整情報は、基準クロックの周波数変化の規模を示すソフトウエア信号かまたは基準クロックの周波数変化を示すハードウエア信号を含んでもよい。調整するように構成されたコンピュータ可読プログラムコードは、基準クロックの周波数変化の規模に基づいてＤＶＢ受信機の周波数設定を調整するように構成されたコンピュータ可読プログラムコードをさらに含んでもよい。本発明の一部の実施形態では、調整するように構成されたコンピュータ可読プログラムコードは、基準クロックの周波数変化に関連するドップラー偏移をハードウエア信号に応じて決定し、特定されたドップラー偏移に基づいてＤＶＢ受信機の周波数設定を調整するように構成されたコンピュータ可読プログラムコードを、さらに含んでもよい。
【００１２】
本発明の別の実施形態では、調整情報を受信するように構成されたコンピュータ可読プログラムコードは、基準クロックが調整される前かまたは後で調整情報を受信するように構成されたコンピュータ可読プログラムコードを、さらに含んでもよい。調整するように構成されたコンピュータ可読プログラムコードは、携帯型電子デバイスの中でＤＶＢ受信機の周波数設定を調整するように構成されたコンピュータ可読プログラムコードをさらに含んでもよい。
【発明を実施するための最良の形態】
【００１３】
ここで、本発明の具体的で例示的な実施形態について、添付の図面を参照しながら記述しよう。しかし、本発明は、多くの異なる形態で実施されうるため、本書に述べた実施形態に限定されると解釈されるべきではなく、むしろ、これらの実施形態は、この開示が完璧かつ完全であり、本発明の範囲を当業者に十分に伝達できることを目的として提供される。添付図面に示す特定の例示的な実施形態の詳細記述の中で用いられる用語は、本発明を限定することを意図していない。図面中、類似の番号は類似の要素を指す。
【００１４】
本書では、単数形「ａ」「ａｎ」「ｔｈｅ」は、別に明示しない限り、複数形も同様に含むことを意図する。さらに理解されるであろうが、「有する」「備える」「含めて」および／または「備えた」という用語は、本明細書で用いられる場合、述べられた特徴、整数、ステップ、動作、要素および／または構成要素の存在を明記するが、１つ以上の他の特徴、整数、ステップ、動作、要素、構成要素、および／またはそれらのグループの存在もしくは追加を排除しない。理解されるであろうが、ある要素が他の要素に「接続する」または「結合する」と言及される場合、それが直接他の要素に接続もしくは結合してもよいし、介在要素が存在してもよい。さらに、本書では「接続する」または「結合する」とは、無線での接続もしくは結合を含んでもよい。本書では、「および／または」という用語は、関連付けられてリストされた項目の１つ以上のいずれかの組み合わせとすべての組み合わせとを含む。
【００１５】
別に定めない限り、（技術用語および科学用語を含めて）本書で用いるすべての用語は、本発明が属する分野の普通の技術者によって一般に理解されるのと同じ意味を持つ。さらに理解されるであろうが、一般に用いられる辞書類の中で定義されるような用語は、関連技術の文脈におけるそれらの意味と一致する意味を持つと解釈されるべきであって、本書の中で明白にそのように定義されない限り、理想化された意味や過度に形式的な意味で解釈されることはない。
【００１６】
本書では、「携帯型電子デバイス」は、送信機能のない無線信号受信機だけを有するデバイスだけでなく、双方向通信リンク上で双方向通信が可能な送信用ハードウエアと受信用ハードウエアとの両方を有するデバイスも含む。そのような装置には、マルチラインディスプレイを搭載のまたはマルチラインディスプレイを非搭載のセルラー通信デバイスもしくはその他の通信デバイスと、音声およびデータ処理とファクシミリおよび／またはデータ通信機能とを組み合わせてもよいパーソナル通信システム（ＰＣＳ）端末と、無線周波数受信機およびポケベルとインターネット／イントラネットへのアクセスとウェブブラウザとオーガナイザとカレンダおよび／または全地球測位システム（ＧＰＳ）受信機とを含みうるパーソナル・デジタル・アシスタント（ＰＤＡ）と、および／または、無線周波数受信機を含む、従来のラップトップおよび／またはパームトップ・コンピュータまたは他の装置と、を含めてもよい。本書では、「携帯型電子デバイス」とは、携帯可能でもよいし、持ち運び可能でもよいし、（航空用、海上用、または地上用の）車両に組み込まれてもよいし、あるいは、地上および／または宇宙のいかなる場所においてもローカルに、および／または、分散された方式で動作するように配置されても、および／または、構成されてもよい。
【００１７】
図１乃至４に関して本書で論じるように、本発明の実施形態は、デジタルビデオ放送（ＤＶＢ）システムの周波数設定を調整するための携帯型電子デバイス、方法、およびコンピュータプログラムを提供する。特に、本発明の一部の実施形態は、ＤＶＢ−ハンドヘルド（ＤＶＢ−Ｈ）標準を使用して、携帯型電子デバイス内でテレビジョンサービスを提供する。ＤＶＢ−Ｈ標準は基本的に、旧来のＤＶＢ−地上波（ＤＶＢ−Ｔ）標準の延長版である。特にＤＶＢ−Ｈは、受信側デバイス、例えば携帯型電子デバイスでの消費電力がＤＶＢ−Ｔよりも少ない地上デジタルＴＶ標準であり、従って、受信側デバイスは、送信を受信しながら自由に移動できる。従って、ＤＶＢ−Ｈは、ＤＶＢ−Ｔよりも携帯型電子デバイスに適しており、それによって携帯型電子デバイスは、移動ネットワークを使用せずに、デジタルＴＶ放送を、例えばｄｉｇｉＴＶネットワーク上で、受信することができる。
【００１８】
本発明の一部の実施形態による携帯型電子デバイスは、ＤＶＢ−Ｈ受信機および送信器を含むＤＶＢ−Ｈ受信機を含んでもよい。ＤＶＢ−Ｈ受信機は、携帯型電子デバイスの基準クロックを、ＤＶＢ−Ｈ基準クロックとして使用してもよい。これによって、専用の基準クロックをＤＶＢ−Ｈ受信機に提供するようなデバイスよりも優れた利点がもたらされることがあるが、それは、これらの追加コンポーネントがデバイスのサイズを増大させ、製造コストを増加させる可能性があるからである。しかし、携帯型電子デバイスの基準クロックをＤＶＢ−Ｈ基準クロックとして使用しても、問題を引き起こすことがある。
【００１９】
特に、携帯型電子デバイスの基準クロックは、周期的または無作為に更新されて、例えばＧＳＭおよび／またはＵＭＴＳの基地局クロックのようなネットワーククロックに同期する。ＤＶＢ−Ｈ受信機の観点からは、この同期は、信号品質を低下させる恐れがあるドップラーシフト（偏移）のように見えることがある。信号品質の低下は、本書で以下に述べるように、画質の低下を招くことがある。
【００２０】
従って、本発明の一部の実施形態による携帯型電子デバイス、方法、およびコンピュータプログラムは、携帯型電子デバイスの基準クロックがＤＶＢ基準クロックとして使用される場合には、携帯型電子デバイスの基準クロックに関連する調整情報を受信して、調整情報に応じてＤＶＢ受信機の周波数設定を調整するように構成されてもよい。従って、本発明の一部の実施形態によって、ＤＶＢ受信機は、本書で図１乃至図４に関してさらに述べるように、認識されたドップラー偏移に起因する信号品質を犠牲にすることなく、携帯型電子デバイスの基準クロックを与えられてもよい。
【００２１】
ここで理解されるはずだが、本発明の一部の実施形態は、本書ではＧＳＭおよびＵＭＴＳに関して論じられているけれども、本発明の実施形態は、この構成に限定されない。例えば、本発明の実施形態は、本発明の範囲から逸脱することなく、携帯型電子デバイスをいかなるネットワーククロックに同期させることに関連するＤＶＢ受信機のドップラー偏移問題を修正する目的で用いられてもよい。
【００２２】
まず図１を参照すると、概略ブロック図が提供されており、図では、本発明の一部の実施形態によるＤＶＢ−Ｈ受信機５０およびＤＶＢ−Ｈ周波数調整モジュール３０を含む携帯型電子デバイス２２を示す。図１は、携帯型電子デバイス２２と、無線通信ネットワーク２０の基地局トランシーバ２４とを示す。また本書では、基地局トランシーバ２４は、本発明の一部の実施形態によるモバイルＴＶのためのＴＶタワーを含んでもよいし、ＴＶタワーであってもよい。ここで理解されるであろうが、無線技術が進化するにつれて、「無線通信ネットワーク」も進化する。本書では、「無線通信ネットワーク」とは、本発明の教示内容から逸脱することなく、従来的な意味での各種の無線アクセス技術、無線ＬＡＮまたは無線・パーソナル・エリア・ネットワークのことを言ってもよい。これらのネットワークには、例えば、無線アクセス技術、例えば、符号分割多元接続（ＣＤＭＡ）、ＧＳＭ進展のための拡張データ転送レート（ＥＤＧＥ）、汎用パケット無線サービス（ＧＰＲＳ）、ＧＳＭ、高速ダウンリンクパケットアクセス（ＨＳＰＤＡ）、高速アップリンクパケットアクセス（ＨＳＵＰＡ）、ＵＭＴＳ、Ｗ−ＣＤＭＡおよび／またはＷＣＤＭＡ＋ＥＤＧＥ（ＷＥＤＧＥ）、および／または、無線ＬＡＮ（ＷＬＡＮ）、例えば、Ｗｉｒｅｌｅｓｓ  Ｆｉｄｅｌｉｔｙ（ＷｉＦｉ）やＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）を含めてもよい。
【００２３】
本発明の一部の実施形態によると、無線アクセス技術および／またはＷＬＡＮは、図１に示す携帯型電子デバイス２２と無線通信ネットワークとの間のアクセス媒体として用いられてもよい。例えば、携帯型電子デバイス２２は、本発明の範囲から逸脱することなく、ＵＭＴＳ、ＧＳＭ、ＥＤＧＥ、ＧＰＲＳ、ＷＥＤＧＥ、ＣＤＭＡ、ＷＣＤＭＡ、ＨＳＤＰＡ、ＨＳＵＰＡ、ＷＩＦＩ、ＷｉＭＡＸ等を介してデータネットワークにアクセスしてもよい。
【００２４】
携帯型電子デバイス２２は、携帯型ハウジング２３を含んでおり、そして、キーパッド２６、ディスプレイ２８、スピーカ３２、マイクロフォン３４、トランシーバ３６、メモリ３８を含んでもよく、それらはいずれも制御器（プロセッサ）４２と通信してもよい。さらにまた、携帯型電子デバイス２２は、本発明の一部の実施形態によるＤＶＢ−Ｈ周波数調整モジュール３０とＤＶＢ−Ｈ受信機５０とを含み、それらも制御器４２と通信する。制御器４２は、市販のまたは特注のマイクロプロセッサであればいかなるものであってもよい。
【００２５】
ここで理解されるはずだが、ＤＶＢ−Ｈ周波数調整モジュール３０およびＤＶＢ−Ｈ受信機５０は、図１では１つの一体化したモジュールとして示されているけれども、本発明の実施形態は、この構成に限定されない。例えば、ＤＶＢ−Ｈ周波数調整モジュール３０とＤＶＢ−Ｈ受信機５０とは、本発明の範囲から逸脱することなく別個であってもよいだろう。
【００２６】
さらに図示するように、トランシーバ（通信装置）３６は、典型的には送信器回路４４と受信機回路４６とを含み、それらはそれぞれ、発信無線周波数信号を基地局トランシーバ２４へ送信し、例えば音声呼やデータ信号のような着信無線周波数信号を基地局トランシーバ２４からアンテナ４８を介して受信する。アンテナ４８は、内蔵アンテナ、伸縮式アンテナ、または本発明の範囲から逸脱することなく当業者には既知であるいかなるアンテナであってもよい。携帯型電子デバイス２２と基地局トランシーバ２４の間で送信される無線周波数信号は、トラヒックと制御信号を両方含んでもよく（例えば、着信呼についての呼出し信号／メッセージ）、それらは、別の当事者と音声呼の通信を確立して維持したり、例えば電子メールまたはマルチメディア・メッセージ・サービス（ＭＭＳ）メッセージのようなデータをリモートのデバイスとの間で送信および／または受信したりするために用いられてもよい。制御器４２は、本発明の一部の実施形態による携帯型電子デバイス２２のＤＶＢ−Ｈ周波数調整モジュール３０およびＤＶＢ−Ｈ受信機５０に関する機能を含めて、携帯型電子デバイス２２の各種の機能をサポートしてもよい。
【００２７】
本発明の一部の実施形態では、基地局トランシーバ２４は、セルラーネットワーク内のセルを定義する無線トランシーバであり、無線リンクプロトコルを用いてセル内の携帯型電子デバイス２２およびその他の携帯型電子デバイスと通信する。基地局トランシーバ２４は１つしか示されていないけれども、理解されるはずだが、無線通信ネットワークを定義するため、多くの基地局トランシーバが、例えば移動通信交換局およびその他のデバイスを通じて、接続していてもよい。
【００２８】
図１に示すように、ＤＶＢ−Ｈ受信機５０は、基地局／ＴＶタワー２４と通信するように構成される。ＤＶＢ−Ｈ受信機５０は、携帯型電子デバイス２２の基準クロック３１をＤＶＢ基準クロックとして使用してもよい。本発明の一部の実施形態によるＤＶＢ周波数調整モジュール３０は、携帯型電子デバイス２２の基準クロック３１に関連する調整情報を受信して、調整情報に応じてＤＶＢ受信機５０の周波数設定を調整するように構成される。言い換えれば、携帯型電子デバイス２２が基準クロック３１をネットワーククロックに同期させるとき、例えば、基準クロック３１がどの程度変更されるかという調整情報が、ＤＶＢ−Ｈ周波数調整モジュール３０に提供される。ＤＶＢ−Ｈ周波数調整モジュール３０は、基準クロックの同期に応じて不要なドップラー偏移が発生しないようにするため、ＤＶＢ受信機５０の周波数設定を調整するように構成される。
【００２９】
ここで理解されるであろうが、本書で論じた本発明の実施形態は、携帯型電子デバイスの基準クロック３１を供給されるＤＶＢ−Ｈ受信機５０を含むけれども、本発明の実施形態はこの構成に限定されない。ＤＶＢシステムのいかなる態様が、本発明の範囲から逸脱することなく、基準クロック３１を与えられてもよい。
【００３０】
本発明の一部の実施形態では、調整情報は、基準クロック３１の周波数変化の規模（大きさ）を示すソフトウエア信号として周波数調整モジュール３０に提供されてもよい。本発明の別の実施形態では、調整情報は、基準クロックの周波数変化を示すハードウエア信号としてＤＶＢ−Ｈ周波数調整モジュール３０に提供されてもよい。次いでＤＶＢ周波数調整モジュール３０は、基準クロックの周波数変化に関連するドップラー偏移をハードウエア信号に応じて決定し、基準クロックの周波数変化の決定された規模に基づいてＤＶＢ受信機の周波数設定を調整するように、構成されてもよい。調整情報は、本発明の範囲を逸脱することなく、基準クロックが調整される前かまたは後でＤＶＢ−Ｈ周波数調整モジュール３０に提供されてもよい。
【００３１】
それに応じて、携帯型電子デバイスの基準クロックを携帯型電子デバイスに関連するＤＶＢ−Ｈ受信機の基準クロックとして使用すると、本書で論じたように、問題を引き起こすことがある。例えば、ＤＶＢ−Ｈ受信機にはクロックの更新がドップラー偏移のように見えることがあるため、基準クロックが更新される場合に信号品質の低下が生じることがある。例えば、ＤＶＢＭは、直交周波数分割多重（ＯＦＤＭ）に基づいている。ＯＦＤＭは、マルチキャリアシステムであるため、クロックノイズや基準クロック調整に対して敏感である。このため、結果として無線周波数（ＲＦ）の性能が劣化しやすくなり、それが次には、例えば動画品質の劣化をもたらすことになるであろう。従って、本発明の一部の実施形態によって、基準クロックの調整に応じてＤＶＢ−Ｈ受信機の周波数設定を調整する携帯型電子デバイス、方法、およびコンピュータプログラム製品が提供される。従って、本発明の一部の実施形態は、ＤＶＢ−Ｈ受信機のための専用の基準クロックを提供することなく、信号品質を向上させてもよい。こうして、比較的に低価格で小型のデバイスを提供することができる。
【００３２】
ここで本発明の一部の実施形態による携帯型電子デバイスの動作について、図２乃至４のフローチャートに関して説明する。動作は、ブロック２００で、携帯型電子デバイスの基準クロックに関連する調整情報を受信することによって始まる。携帯型電子デバイスの基準クロックが、ＤＶＢ基準クロックとして使用されてもよい。調整情報は、基準クロックが、例えばＧＳＭクロックのようなネットワーククロックに同期することに応じて生成されてもよい。この同期は、ＧＳＭ標準の場合に要求されることがある。調整情報は、基準クロックの周波数変化の規模を示すソフトウエア信号としてＤＶＢ受信機に提供されてもよい。また、本発明の一部の実施形態では、調整情報は、基準クロックの周波数変化を示す、携帯型電子デバイスの中のハードウエア信号として提供されてもよい。調整情報は、基準クロックが調整される前かまたは後で受信されてもよい。ＤＶＢ受信機の周波数設定は、調整情報に応じて調整される（ブロック２２０）。
【００３３】
ここで本発明の別の実施形態による動作について、図３のフローチャートに関して論じよう。動作は、ブロック３００で、携帯型電子デバイスの基準クロックに関連する調整情報を受信することによって始まる。携帯型電子デバイスの基準クロックが、ＤＶＢ基準クロックとして使用されてもよい。基準クロックの周波数変化の規模を示すソフトウエア信号が受信される（ブロック３１５）。ＤＶＢ受信機の周波数設定が、周波数変化の規模に基づいて調整される（３２５）。
【００３４】
ここで本発明の別の実施形態による動作について、図４のフローチャートに関して論じよう。動作は、ブロック４００で、携帯型電子デバイスの基準クロックに関連する調整情報を受信することによって始まる。携帯型電子デバイスの基準クロックが、ＤＶＢ基準クロックとして使用されてもよい。基準クロックの周波数変化を示すハードウエア信号が受信される（ブロック４１７）。基準クロックの周波数変化に関連するドップラー偏移が、ハードウエア信号に応じて決定される（ブロック４２１）。ＤＶＢ受信機の周波数設定が、特定されたドップラー偏移に基づいて調整される（ブロック４２３）。
【００３５】
当業者であれば理解するであろうが、本発明は、携帯型電子デバイス、方法、またはコンピュータプログラムとして実施されてもよい。従って、本発明は、完全にハードウエアの実施形態、ソフトウエアの実施形態、あるいは本書ではすべて一般に「回路」または「モジュール」と呼ばれるソフトウエアとハードウエアの態様を組み合わせた実施形態の形をとってもよい。さらに、本発明は、コンピュータで利用可能なプログラムコードが媒体の中に実施された状態の、コンピュータで利用可能な記憶媒体上のコンピュータプログラムの形をとってもよい。ハードディスク、ＣＤ−ＲＯＭ、光学的記憶装置、インターネットやイントラネットをサポートするもののような通信媒体、あるいは磁気記憶装置を含めて、いかなる適切なコンピュータ可読記憶媒体が用いられてもよい。
【００３６】
本発明の動作を実行するためのコンピュータプログラムコードは、Ｊａｖａ（登録商標）、スモールトークまたはＣ＋＋のようなオブジェクト指向プログラミング言語で書かれてもよい。しかし、また、本発明の動作を実行するためのコンピュータプログラムコードは、従来の手続き型プログラミング言語、例えば「Ｃ」言語および／またはもっと低レベルのアセンブリ言語で書かれてもよい。プログラムコードは、完全にユーザのコンピュータ上で実行されてもよいし、スタンドアロンのソフトウェアパッケージとして一部がユーザのコンピュータ上で実行されてもよいし、一部がユーザのコンピュータ上で、かつ、一部がリモートコンピュータ上で実行されてもよいし、完全にリモートコンピュータ上で実行されてもよい。後者のシナリオでは、リモートコンピュータは、ローカル・エリア・ネットワーク（ＬＡＮ）またはワイド・エリア・ネットワーク（ＷＡＮ）を介してユーザのコンピュータに接続されてもよいし、あるいは、（例えば、インターネット・サービス・プロバイダを用いてインターネットを介して）外部コンピュータに接続が行われてもよい。
【００３７】
さらに、本発明は、本発明の実施形態による携帯型電子デバイス、方法、およびコンピュータプログラム製品のフローチャートの図解および／またはブロック図を参照しながら、部分的に上記に記述した。理解されるはずだが、フローチャートの図解および／またはブロック図の各ブロック、および、フローチャートの図解および／またはブロック図の各ブロックの組み合わせは、コンピュータプログラム命令によって実装されてもよい。これらのコンピュータプログラム命令は、コンピュータまたは他のプログラム可能なデータ処理装置のプロセッサを介して実行される命令が、フローチャートおよび／またはブロック図のブロックまたは複数のブロックの中に規定された機能／動作を実装する手段を作成するように、汎用コンピュータ、特殊用途コンピュータ、あるいはマシンを実現させるためのその他のプログラム可能なデータ処理装置のプロセッサに提供されてもよい。
【００３８】
また、これらのコンピュータプログラム命令は、コンピュータ可読メモリの中に記憶された命令が、フローチャートおよび／またはブロック図のブロックまたは複数のブロックの中に規定された機能／動作を実装する命令手段を含む製品を生成するように、コンピュータまたは他のプログラム可能なデータ処理装置に命令して特定の方法で機能させることが可能な、コンピュータ可読メモリの中に記憶されてもよい。
【００３９】
また、コンピュータプログラム命令は、コンピュータまたは他のプログラム可能なデータ処理装置上で実行される命令が、フローチャートおよび／またはブロック図のブロックまたは複数のブロックの中に規定された機能／動作を実装するステップを提供するように、コンピュータに実装された処理を生じさせる目的で、コンピュータまたは他のプログラム可能なデータ処理装置上で実行される一連の操作ステップを起こさせるため、コンピュータまたは他のプログラム可能なデータ処理装置にロードされてもよい。
【００４０】
図１乃至４の図は、携帯型電子デバイスを用いたマップ走査および校正のための携帯型電子デバイス、方法、および、コンピュータプログラム製品の一部実施形態のアーキテクチャ、機能性、および動作を図解する。この点で、各ブロックは、規定された論理機能を実装するための１つ以上の実行可能な命令を含む、モジュール、セグメント、またはコードの一部分を表してもよい。また、留意すべきだが、他の実装においては、ブロックの中に記載された機能は、図に記載された順序以外で発生してもよい。例えば、連続して示される２つのブロックが、実際には、実質的に同時に実行されてもよいし、あるいは複数のブロックが、関連する機能性に応じて、時には逆の順序で実行されてもよい。
【００４１】
図面および明細書において、本発明の例示的な実施形態を開示してきた。特定の用語が採用されてはいるが、それらは、一般的な説明の意味だけで使用されており、限定を目的としているのではなく、本発明の範囲は、下記の請求項によって定義される。
【図面の簡単な説明】
【００４２】
【図１】本発明の一部の実施形態による携帯型電子デバイスと、例示する基地局トランシーバとの略図である。
【図２】本発明の各種の実施形態による携帯型電子デバイスの動作を示すフローチャートである。
【図３】本発明の各種の実施形態による携帯型電子デバイスの動作を示すフローチャートである。
【図４】本発明の各種の実施形態による携帯型電子デバイスの動作を示すフローチャートである。
【図１】
2009537082.tif 000003
【図２】
2009537082.tif 000004
【図３】
2009537082.tif 000005
【図４】
2009537082.tif 000006
【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
携帯型電子装置であって、
前記携帯型電子装置の基準クロックをデジタルビデオ放送（ＤＶＢ）の基準クロックとして使用するＤＶＢ受信機と、
前記携帯型電子装置の基準クロックに関連付けられた調整情報を受信し、該調整情報にしたがって前記ＤＶＢ受信機における周波数設定を調整するＤＶＢ周波数調整モジュールと
を備えることを特徴とする携帯型電子装置。
【請求項２】
前記調整情報には、前記基準クロックの周波数変更の規模を示すソフトウエア信号を含んでいることを特徴とする請求項１に記載の携帯型電子装置。
【請求項３】
前記ＤＶＢ周波数調整モジュールは、前記基準クロックの周波数変更の規模に基づいて前記ＤＶＢ受信機における周波数設定を調整することを特徴とする請求項２に記載の携帯型電子装置。
【請求項４】
前記調整情報には、前記基準クロックの周波数変更を示すハードウエア信号が含まれており、
前記ＤＶＢ周波数調整モジュールは、さらに、前記ハードウエア信号に基づいて前記基準クロックの周波数変更に関連したドップラーシフトを決定し、決定した前記ドップラーシフトに基づいて前記ＤＶＢ受信機における周波数設定を調整することを特徴とする請求項１に記載の携帯型電子装置。
【請求項５】
前記調整情報は、前記基準クロックをネットワーククロックに同期させたことに応じて生成されることを特徴とする請求項１に記載の携帯型電子装置。
【請求項６】
デジタルビデオ放送（ＤＶＢ）受信機の周波数設定を調整する方法であって、
ＤＶＢ基準クロックとして使用される携帯型電子装置の基準クロックに関連付けられた調整情報を受信する受信ステップと、
前記調整情報にしたがって前記ＤＶＢ受信機における周波数設定を調整する調整ステップと
を備えることを特徴とする方法。
【請求項７】
前記調整情報には、前記基準クロックの周波数変更の規模を示すソフトウエア信号または前記基準クロックの周波数変更を示すハードウエア信号が含まれており、
前記調整ステップは、
前記基準クロックの周波数変更の規模に基づいて前記ＤＶＢ受信機における周波数設定を調整するステップをさらに含む
ことを特徴とする請求項６に記載の方法。
【請求項８】
前記調整情報には、前記基準クロックの周波数変更の規模を示すソフトウエア信号または前記基準クロックの周波数変更を示すハードウエア信号が含まれており、
前記調整ステップは、さらに、
前記ハードウエア信号に基づいて前記基準クロックの周波数変更に関連したドップラーシフトを決定するステップと、
前記決定されたドップラーシフトに基づいて前記ＤＶＢ受信機における周波数設定を調整するステップと
を含むことを特徴とする請求項６に記載の方法。
【請求項９】
前記調整ステップは、
前記携帯型電子装置内で前記ＤＶＢ受信機の周波数設定を調整するステップを含むことを特徴とする請求項６に記載の方法。
【請求項１０】
コンピュータ可読記憶媒体に記憶されたコンピュータ可読プログラムコードを備え、デジタルビデオ放送（ＤＶＢ）受信機の周波数設定を調整するためのコンピュータプログラムであって、
ＤＶＢ基準クロックとして使用される携帯型電子装置の基準クロックに関連付けられた調整情報を受信するためのコンピュータ可読プログラムコードと、
前記調整情報にしたがって前記ＤＶＢ受信機における周波数設定を調整するためのコンピュータ可読プログラムコードと
を備えることを特徴とするコンピュータプログラム。
【国際調査報告】
2009537082.tif 000007
2009537082.tif 000008